(57)【特許請求の範囲】
【請求項１】
有線回線に接続され、該有線回線を介して通信を行うと共に、相手からの外線接続時に前記有線回線を介して到来する発信者側の電話番号情報を受信する第１通信装置と、
自装置と前記第１通信装置間に無線回線を設定して無線通信を行う第２通信装置と、
を備え、
前記第１通信装置は、
相手からの外線接続時に前記受信された電話番号情報を記憶する記憶手段と、前記記憶手段に記憶された電話番号情報を予め決められた桁の優先順に従って並べ換え、その並びで先頭桁より順に１桁づつ前記第２通信装置へ無線送信する送信手段と、
を有し、
前記第２通信装置は、
前記送信手段により１桁づつ無線送信された電話番号情報を１桁づつ受信する受信手段と、
前記受信手段により１桁づつ受信された電話番号情報を受信毎に元の並びに戻して表示制御する表示制御手段と、
を有したことを特徴とする無線通信システム。
【請求項２】
有線回線に接続され、該有線回線を介して通信を行うと共に、相手からの外線接続時に前記有線回線を介して到来する発信者側の電話番号情報を受信する第１通信装置と、
自装置と前記第１通信装置間に無線回線を設定して無線通信を行う第２通信装置と、
を備え、
前記第１通信装置は、
相手からの外線接続時に前記受信された電話番号情報を記憶する記憶手段と、前記記憶手段に記憶された電話番号情報を末尾桁からの並びに並べ換え、その並びで先頭桁より順に１桁づつ前記第２通信装置へ無線送信する送信手段と、
を有し、
前記第２通信装置は、
前記送信手段により１桁づつ無線送信された電話番号情報を１桁づつ受信する受信手段と、
前記受信手段により１桁づつ受信された電話番号情報を受信毎に元の先頭桁からの並びに戻して表示制御する表示制御手段と、
を有したことを特徴とする無線通信システム。
【請求項３】
有線回線に接続され、該有線回線を介して通信を行うと共に、相手からの外線接続時に前記有線回線を介して到来する発信者側の電話番号情報を受信する第１通信装置と、
自装置と前記第１通信装置間に無線回線を設定して無線通信を行う第２通信装置と、
を備え、
前記第１通信装置は、
相手からの外線接続時に前記受信された電話番号情報を記憶する記憶手段と、前記記憶手段に記憶された電話番号情報を末尾桁からの並びに並べ換え、その並びで先頭桁より順に１桁づつ前記第２通信装置へ無線送信する送信手段と、
を有し、
前記第２通信装置は、
複数の電話番号情報を予め登録しておく電話帳記憶手段と、
前記送信手段により１桁づつ無線送信された電話番号情報を１桁づつ受信する受信手段と、
前記受信手段により１桁づつ受信された電話番号情報を受信毎に元の先頭桁からの並びに戻して表示制御する表示制御手段と、
前記表示制御手段の表示制御により得られた電話番号情報と前記電話帳記憶手段に登録されている各電話番号情報とを受信済み桁数分だけ対応する桁間で照合する照合手段と、
前記電話帳記憶手段に登録されている電話番号情報の内、前記照合手段により受信済み桁数分の照合全一致が得られた電話番号情報を発信者候補として表示する候補表示手段と、
を有したことを特徴とする無線通信システム。
【請求項４】
前記表示制御手段は、前記受信手段により未受信の桁位置に未受信を示す記号を表示配置することを特徴とする請求項１〜３のいずれか一つに記載の無線通信システム。
【請求項５】
第１通信装置と第２通信装置間で無線通信を行う無線通信方法において、
相手からの外線接続時に有線回線を介して到来する発信者側の電話番号情報を第１通信装置によって受信する第１工程と、
前記第１工程により受信された電話番号情報を予め決められた桁の優先順に従って並べ換え、その並びで先頭桁より順に１桁づつ前記第２通信装置へ無線送信する第２工程と、
前記第２工程により１桁づつ無線送信された電話番号情報を前記第２通信装置で１桁づつ受信する第３工程と、
前記第３工程により１桁づつ受信された電話番号情報を受信毎に元の並びに戻して表示制御する第４工程と、
を含むことを特徴とする無線通信方法。
【請求項６】
第１通信装置と第２通信装置間で無線通信を行う無線通信方法において、
相手からの外線接続時に有線回線を介して到来する発信者側の電話番号情報を第１通信装置によって受信する第１工程と、
前記第１工程により受信された電話番号情報を末尾桁からの並びに並べ換え、その並びで先頭桁より順に１桁づつ前記第２通信装置へ無線送信する第２工程と、
前記第２工程により１桁づつ無線送信された電話番号情報を前記第２通信装置で１桁づつ受信する第３工程と、
前記第３工程により１桁づつ受信された電話番号情報を受信毎に元の先頭桁からの並びに戻して表示制御する第４工程と、
を含むことを特徴とする無線通信方法。
【請求項７】
第１通信装置と第２通信装置間で無線通信を行う無線通信方法において、
相手からの外線接続時に有線回線を介して到来する発信者側の電話番号情報を第１通信装置によって受信する第１工程と、
前記第１工程により受信された電話番号情報を末尾桁からの並びに並べ換え、その並びで先頭桁より順に１桁づつ前記第２通信装置へ無線送信する第２工程と、
前記第２工程により１桁づつ無線送信された電話番号情報を前記第２通信装置で１桁づつ受信する第３工程と、
前記第３工程により１桁づつ受信された電話番号情報を受信毎に元の先頭桁からの並びに戻して表示制御する第４工程と、
前記第４工程の表示制御により得られた電話番号情報と前記第２通信装置に予め登録されている各電話番号情報とを受信済み桁数分だけ対応する桁間で照合する第５工程と、
前記第２通信装置に予め登録されている電話番号情報の内、前記第５工程により受信済み桁数分の照合全一致が得られた電話番号情報を発信者候補として表示する第６工程と、
を含むことを特徴とする無線通信方法。
【発明の詳細な説明】
【０００１】
【発明の属する技術分野】
この発明は、無線回線を利用して端末間で電話番号情報を転送する無線通信システム及び無線通信方法に関する。
【０００２】
【従来の技術】
この種の無線通信システムの代表例として、コードレス電話システムがある。このコードレス電話システムでは、子機から外線接続を行う場合にその子機から親機に対して電話番号情報が転送される。
【０００３】
また、上述したコードレス電話システムでは、最近、外線着信時に発信者のＩＤを示す電話番号情報を可視表示する技術が開発されている。この場合には、外線で親機に受信された電話番号情報を親機から子機へ転送することもできる。
【０００４】
親機から子機へ、もしくは子機から親機への無線転送の際に、親機−子機間の無線回線が妨害波等の影響を受けると、転送中の電話番号情報が途中で破壊される場合がある。
【０００５】
特に、外線接続時に電話番号情報の内の１桁でも番号の転送に失敗すると、その誤った電話番号情報で外線接続が行われるため、誤ダイヤルとなって結局はリダイヤルが必要であった。
【０００６】
このような外線接続時の誤ダイヤル防止技術として、例えば特開平５−３１６０３０号公報がある。この公報によれば、子機から親機へ転送したダイヤル番号に桁抜けが生じた場合、親機から子機に対してダイヤル番号の再送要求を行うという技術が開示されている。
【０００７】
【発明が解決しようとする課題】
上述したように従来例による無線通信システムでは、発信時（外線接続の際）に子機から親機へ転送される電話番号情報が１００％正しくないと誤ダイヤルとなるために電話番号情報の再送が必須となるが、相手からの着信時における親機から子機への転送では正確に転送できなくても、子機からの発信に比べると電話番号情報を再送する程の重要性はなく、１回の転送でも十分であった。
【０００８】
しかしながら、妨害波等の影響で電話番号情報の先頭より２、３桁しか転送できなかった場合には、その２、３桁の番号から市外局番程度の確認が精一杯となり、転送できた番号の有効性が低くなる。
【０００９】
すなわち、現時点の技術では、転送途中から妨害波等の影響で電話番号情報に破壊が生じると、発信者を推定することが困難であった。
【００１０】
この発明は、上述した従来例の課題を解決するため、親機から子機へ発信者の電話番号情報を転送している途中から妨害波等の影響により電話番号情報が破壊されても、転送できた一部の電話番号情報から発信者の推定を支援することが可能な無線通信システム及び無線通信方法を得ることを目的とする。
【００１１】
【課題を解決するための手段】
上述した課題を解決し、上記目的を達成するため、請求項１の発明に係る無線通信システムは、第１通信装置において、記憶手段に相手からの外線接続時に受信された発信者側の電話番号情報を記憶しておき、送信手段では、記憶手段に記憶された電話番号情報を桁の優先順に従って並べ換え、その並びで先頭桁より順に１桁づつ第２通信装置へ無線送信し、第２通信装置において、受信手段では、受信手段送信手段により１桁づつ無線送信された電話番号情報を１桁づつ受信し、表示制御手段では、受信手段により１桁づつ受信された電話番号情報を受信毎に元の並びに戻して表示制御することを特徴とする。
【００１２】
この請求項１の発明によれば、相手からの外線接続時に第１通信装置に受信された発信者側の電話番号情報を予め決められた桁の優先順に従って並べ換え、その並びで第２通信装置へ無線送信し、第２通信装置でその並びを元に戻して表示制御するシステム構成にしたので、発信者を特定しやすい桁に対して優先度を高くすれば発信者を特定しやすい桁から先に送り届けることができ、電話番号情報の送信途中から妨害波等の影響により破壊が生じても、破壊される前に送信できた一部の電話番号情報からでも発信者の推定を支援することが可能である。
【００１３】
また、請求項２の発明に係る無線通信システムは、第１通信装置において、記憶手段に相手からの外線接続時に受信された発信者側の電話番号情報を記憶しておき、送信手段では、記憶手段に記憶された電話番号情報を末尾桁からの並びに並べ換え、その並びで先頭桁より順に１桁づつ第２通信装置へ無線送信し、第２通信装置において、受信手段では、受信手段送信手段により１桁づつ無線送信された電話番号情報を１桁づつ受信し、表示制御手段では、受信手段により１桁づつ受信された電話番号情報を受信毎に元の先頭桁からの並びに戻して表示制御することを特徴とする。
【００１４】
この請求項２の発明によれば、相手からの外線接続時に第１通信装置に受信された発信者側の電話番号情報を末尾桁からの並びに並べ換え、その並びで第２通信装置へ無線送信し、第２通信装置でその並びを元の先頭桁からの並びに戻して表示制御するシステム構成にしたので、市外局番や市内局番よりも後に配置される発信者を特定しやすい末尾桁側の電話番号から先に送り届けることができ、電話番号情報の送信途中から妨害波等の影響により破壊が生じても、破壊される前に送信できた末尾桁側の電話番号情報からでも発信者の推定を支援することが可能である。
【００１５】
また、請求項３の発明に係る無線通信システムは、第１通信装置において、記憶手段に相手からの外線接続時に受信された発信者側の電話番号情報を記憶しておき、送信手段では、記憶手段に記憶された電話番号情報を末尾桁からの並びに並べ換え、その並びで先頭桁より順に１桁づつ第２通信装置へ無線送信し、第２通信装置において、電話帳記憶手段に複数の電話番号情報を予め登録しておき、受信手段では、受信手段送信手段により１桁づつ無線送信された電話番号情報を１桁づつ受信し、表示制御手段では、受信手段により１桁づつ受信された電話番号情報を受信毎に元の先頭桁からの並びに戻して表示制御し、照合手段では、表示制御手段の表示制御により得られた電話番号情報と電話帳記憶手段に登録されている各電話番号情報とを受信済み桁数分だけ対応する桁間で照合し、候補表示手段では、電話帳記憶手段に登録されている電話番号情報の内、照合手段により受信済み桁数分の照合全一致が得られた電話番号情報を発信者候補として表示することを特徴とする。
【００１６】
この請求項３の発明によれば、相手からの外線接続時に第１通信装置に受信された発信者側の電話番号情報を末尾桁からの並びに並べ換え、その並びで第２通信装置へ無線送信し、第２通信装置でその並びを元の先頭桁からの並びに戻してから登録されている電話番号情報に照合し、受信済みの桁数分の照合全一致が得られた電話番号情報を発信者候補として表示するシステム構成にしたので、電話番号情報の送信途中から妨害波等の影響により破壊が生じても、破壊される前に送信できた末尾桁側の電話番号情報から候補となる発信者の電話番号情報を容易に見つけ出すことができ、これによって、発信者の推定を支援することが可能である。
【００１７】
また、この請求項４の発明に係る無線通信システムは、請求項１〜３のいずれか一つに記載の発明において、表示制御手段が受信手段により未受信の桁位置に未受信を示す記号を表示配置するシステム構成にしたので、電話番号情報の正規の並びでどの桁位置まで正確に受信できたのか容易に確認することが可能である。
【００１８】
また、請求項５の発明に係る無線通信方法は、第１通信装置と第２通信装置間で無線通信を行う場合に、相手からの外線接続時に有線回線を介して到来する発信者側の電話番号情報を第１通信装置によって受信し、その受信された電話番号情報を桁の優先順に従って並べ換え、その並びで先頭桁より順に１桁づつ第２通信装置へ無線送信し、１桁づつ無線送信された電話番号情報を第２通信装置で１桁づつ受信して、１桁づつ受信された電話番号情報を受信毎に元の並びに戻して表示制御することを特徴とする。
【００１９】
この請求項５の発明によれば、相手からの外線接続時に第１通信装置に受信された発信者側の電話番号情報を予め決められた桁の優先順に従って並べ換え、その並びで第２通信装置へ無線送信し、第２通信装置でその並びを元に戻して表示制御する手順にしたので、発信者を特定しやすい桁に対して優先度を高くすれば発信者を特定しやすい桁から先に送り届けることができ、電話番号情報の送信途中から妨害波等の影響により破壊が生じても、破壊される前に送信できた一部の電話番号情報からでも発信者の推定を支援することが可能である。
【００２０】
また、請求項６の発明に係る無線通信方法は、第１通信装置と第２通信装置間で無線通信を行う場合に、相手からの外線接続時に有線回線を介して到来する発信者側の電話番号情報を第１通信装置によって受信し、その受信された電話番号情報を末尾桁からの並びに並べ換え、その並びで先頭桁より順に１桁づつ第２通信装置へ無線送信し、１桁づつ無線送信された電話番号情報を第２通信装置で１桁づつ受信して、１桁づつ受信された電話番号情報を受信毎に元の先頭桁からの並びに戻して表示制御することを特徴とする。
【００２１】
この請求項６の発明によれば、相手からの外線接続時に第１通信装置に受信された発信者側の電話番号情報を末尾桁からの並びに並べ換え、その並びで第２通信装置へ無線送信し、第２通信装置でその並びを元の先頭桁からの並びに戻して表示制御する手順にしたので、市外局番や市内局番よりも後に配置される発信者を特定しやすい末尾桁側から先に送り届けることができ、電話番号情報の送信途中から妨害波等の影響により破壊が生じても、破壊される前に送信できた末尾桁側の電話番号情報からでも発信者の推定を支援することが可能である。
【００２２】
また、請求項７の発明に係る無線通信方法は、第１通信装置と第２通信装置間で無線通信を行う場合に、相手からの外線接続時に有線回線を介して到来する発信者側の電話番号情報を第１通信装置によって受信し、その受信された電話番号情報を末尾桁からの並びに並べ換え、その並びで先頭桁より順に１桁づつ第２通信装置へ無線送信し、１桁づつ無線送信された電話番号情報を第２通信装置で１桁づつ受信して、１桁づつ受信された電話番号情報を受信毎に元の先頭桁からの並びに戻して表示制御し、その表示制御により得られた電話番号情報と第２通信装置に予め登録されている各電話番号情報とを受信済み桁数分だけ対応する桁間で照合し、第２通信装置に予め登録されている電話番号情報の内、受信済み桁数分の照合全一致が得られた電話番号情報を発信者候補として表示することを特徴とする。
【００２３】
この請求項７の発明によれば、相手からの外線接続時に第１通信装置に受信された発信者側の電話番号情報を末尾桁からの並びに並べ換え、その並びで第２通信装置へ無線送信し、第２通信装置でその並びを元の先頭桁からの並びに戻してから登録されている電話番号情報に照合し、受信済みの桁数分の照合全一致が得られた電話番号情報を発信者候補として表示する手順にしたので、電話番号情報の送信途中から妨害波等の影響により破壊が生じても、破壊される前に送信できた末尾桁側の電話番号情報から候補となる発信者の電話番号情報を容易に見つけ出すことができ、これによって、発信者の推定を支援することが可能である。
【００２４】
【発明の実施の形態】
以下に添付図面を参照して、この発明に係る好適な一実施の形態を詳細に説明する。
【００２５】
以下に説明する無線通信システムには、電話の回線接続時に着信側で発信者を確認できるように、呼出しの段階で発信者を確認する発信者ＩＤ（識別）データ（電話番号情報に相当する）を着信側に送信して、着信側でその電話番号情報を表示するなどして確認する機能が適用される。
【００２６】
また、この無線通信システムは、着信側を親機と子機とで構成しており、親機に受信された上述の発信者ＩＤデータを子機へ転送する。
【００２７】
上述した発信者ＩＤデータには、一例として１０桁の数字の組み合わせで構成される数字列を採用する。この１０桁の発信者ＩＤデータは、通常の並びで例えば先頭桁より末尾桁に向かって、３桁分の数字列を市外局番とし、続く３桁分の数字列を市内局番とし、最後の４桁分の数字列を最も発信者を特定しやすい電話番号とする。
【００２８】
なお、市外局番、市内局番、電話番号は、先頭桁から末尾桁への方向で、２桁、４桁、４桁の区分としてもよく、あるいは、４桁、２桁、４桁の区分としてもよく、適用されるシステムにより異なるものである。
【００２９】
まず、この発明に係る無線通信システムの構成について説明する。図１はこの発明に係る無線通信システムの一実施の形態を示す構成図である。
【００３０】
無線通信システムは、図１に示したように、親機１と一台、もしくは複数台の子機（図１には子機の代表として子機２だけを示す）とを無線回線で接続する構成である。
【００３１】
親機１は、制御部１０、発信者ＩＤ復調部１１、アンテナ１２等を備え、図示せぬ局に電話回線ＬＮを介して接続され、子機２とは無線回線を設定して接続される。
【００３２】
制御部１０は、局との有線通信や子機２との無線通信を主に制御するユニットである。この制御部１０は発信者ＩＤレジスタ１００を具備しており、この発信者ＩＤレジスタ１００は外線接続時に局から受信される発信者の発信者ＩＤデータを格納する。
【００３３】
発信者ＩＤ復調部１１は、接続時に局から到来する受信信号を復調して発信者ＩＤデータを得るユニットである。この発信者ＩＤ復調部１１で復調された発信者ＩＤデータは制御部１０の制御に従って発信者ＩＤレジスタ１００に格納される。
【００３４】
アンテナ１２は子機２との間で無線回線を設定して無線通信するユニットである。
【００３５】
子機２は、制御部２０、ディスプレイ２１、アンテナ２２等を備え、親機１とは無線回線を介して接続される。
【００３６】
制御部２０は、親機１との無線通信を主に制御するユニットである。この制御部２０は発信者ＩＤレジスタ２００を具備しており、この発信者ＩＤレジスタ２００は親機１から子機２へ無線回線を介して転送されてきた発信者ＩＤデータを格納する。
【００３７】
ディスプレイ２１はＬＣＤ等の表示装置であり、子機１における動作メニューや親機１より受け取った発信者ＩＤデータに基づく発信者ＩＤなどを表示する。
【００３８】
アンテナ２２は親機１との間で無線回線を設定して無線通信するユニットである。
【００３９】
次に、親機１から子機２への発信者ＩＤデータの転送原理について説明する。図２はこの実施の形態において発信者ＩＤの転送原理（正常時）を説明する図であり、図３はこの実施の形態において発信者ＩＤの転送原理（異常時）を説明する図である。
【００４０】
外線接続時に、例えば０、１、２、３…８、９の順で並ぶ番号列よりなる発信者ＩＤデータが親機１に受信され、発信者ＩＤレジスタ１００には、１桁〜１０桁の桁数に対応させて、「０」、「１」、「２」、「３」…「８」、「９」の順で番号データが格納されたものとする（図２及び図３参照）。
【００４１】
この発信者ＩＤデータを親機１から子機２へ転送する場合には、正常な並びが末尾桁側からの並びに変換される。
【００４２】
すなわち、並びの先頭桁側である１桁目の番号データ「０」は１０桁目に、２桁目の番号データ「１」は９桁目にそれぞれ並べ換えられ、一方、並びの末尾桁側である１０桁目の番号データ「９」は１桁目に、９桁目の番号データ「８」は２桁目にそれぞれ並べ換えられる。他の桁の番号データについても、同様の規則に従って並べ換えが行われる。
【００４３】
この発信者ＩＤデータの転送はシリアル転送となる。したがって、１桁目の番号データ「９」、２桁目の番号データ「８」、３桁目の番号データ「７」の順で順次転送が実施される。
【００４４】
この転送が正常に行われた場合には、図２に示したように、子機２の受信は、親機１の送信状態と同様に先頭桁より９、８、７…１、０の順で行われる。
【００４５】
子機２は、親機１より転送されてくる発信者ＩＤデータに対して、送信時における親機１の並べ換え操作と同様に末尾桁側からの並びに変換操作する。
【００４６】
すなわち、並びの先頭桁側である１桁目の番号データ「９」は１０桁目に、２桁目の番号データ「８」は９桁目にそれぞれ並べ換えられ、一方、並びの末尾桁側である１０桁目の番号データ「０」は１桁目に、９桁目の番号データ「１」は２桁目にそれぞれ並べ換えられる。他の桁の番号データについても、同様の規則に従って並べ換えが行われる。
【００４７】
その結果、発信者ＩＤデータの番号データの並びは、転送前の元の並びに復元され、その復元された並びで発信者ＩＤデータは発信者ＩＤレジスタ２００に格納される（図２参照）。
【００４８】
また、子機２のディスプレイ２１には、発信者ＩＤレジスタ２００に格納された発信者ＩＤデータに基づく発信者ＩＤが表示される。
【００４９】
子機２の所有者は、ディスプレイ２１に表示された発信者ＩＤを見て発信者を確認する。
【００５０】
ところが、この転送の途中例えば５桁目の転送から妨害波等の影響によりデータ破壊が生じた場合には、５桁目以降の番号データが正常に転送されず、図３に示したように、子機２の受信状態は、１桁目〜４桁目の「９８７６」までとなる。
【００５１】
このように、転送に異常が生じた場合にも、図３に示したように、子機２の受信は親機１の送信状態に従って先頭桁より９、８、７、６まで行われるので、子機２は、親機１より転送されてくる発信者ＩＤデータに対して、送信時における親機１の並べ換え操作と同様に末尾桁側からの並びに変換操作する。
【００５２】
その結果、発信者ＩＤデータの番号データの並びは、転送前の元の並びに一部復元され、その復元された一部の並びで発信者ＩＤデータは発信者ＩＤレジスタ２００に格納される（図３参照）。
【００５３】
すなわち、発信者ＩＤレジスタ２００には、末尾４桁分の番号データ「６７８９」が格納され、ディスプレイ２１には、発信者ＩＤレジスタ２００に格納された発信者ＩＤデータに基づく発信者ＩＤ「６７８９」が表示される。
【００５４】
その発信者ＩＤ「６７８９」は転送の途中からデータ破壊されたものであるが、転送の初期の部分については子機２へ正常に届いており、その初期の部分が発信者を最も推定しやすい固有の電話番号である。そして、破壊された部分がエリアコード（市外局番や市内局番）に該当することから、子機２の所有者は電話番号からでも十分に発信者を推定することが可能である。
【００５５】
さらに、この無線通信システムの親機１と子機２について具体的に説明する。
【００５６】
まず、親機１について詳述する。図４はこの実施の形態における親機１の内部構成を示すブロック図であり、図５は親機１の発信者ＩＤレジスタ１００のメモリ構成例を示す図である。
【００５７】
親機１は、図４に示したように、制御部１０、アンテナ１２、発信者ＩＤ復調部１１を有する通信部１３、無線送信部１４、無線受信部１５、切換ＳＷ（スイッチ）１６等で構成されている。
【００５８】
制御部１０は、発信者ＩＤレジスタ１００、ＣＰＵ１０１、ＲＯＭ１０２、ＲＡＭ１０３、入力Ｉ／Ｆ１０４、出力Ｉ／Ｆ１０５、内部バス１０６等で構成されている。
【００５９】
発信者ＩＤレジスタ１００は、前述したように、発信者ＩＤ復調部１１で復調された発信者ＩＤデータを格納するメモリである。この発信者ＩＤレジスタ１００は、図５に示したように、システム上、１０桁分の番号データを格納できるようにしたメモリ構造を有している。
【００６０】
すなわち、この発信者ＩＤレジスタ１００では、１桁目〜１０桁目にそれぞれ対応させて番号データＤ１〜Ｄ１０が格納される。
【００６１】
ＣＰＵ１０１は、ＲＯＭ１０２に格納されている各種プログラムに従って親機１全体の動作を制御する。
【００６２】
ＲＯＭ１０２は、ＯＳ（オペレーティングシステム）やアプリケーションプログラム１０２ａを格納している。アプリケーションプログラム１０２ａについては、バス１０６を介してインストールするように扱うことも可能である。
【００６３】
このアプリケーションプログラム１０２ａは、後述するが、図８に示したフローチャートに従う親機側処理や図９に示したフローチャートに従う送信処理を行うプログラムを含んでいる。
【００６４】
ＲＡＭ１０３は、ＣＰＵ１０１が各種プログラムに従って動作する際に使用されるワークエリアである。
【００６５】
入力Ｉ／Ｆ１０４は、制御部１０の外部に搭載されている無線受信部１５や通信部１３に結合される。この入力Ｉ／Ｆ１０４は、無線受信部１５からは子機２より転送されてくるデータを入力したり、通信部１３からは発信者ＩＤ復調部１１で復調された発信者ＩＤデータ等のデータを入力する。
【００６６】
出力Ｉ／Ｆ１０５は、制御部１０の外部に搭載されている無線送信部１４や通信部１３に結合されている。この出力Ｉ／Ｆ１０５は、無線送信部１４に対して前述した発信者ＩＤデータの転送原理に従って発信者ＩＤデータ等のデータを出力したり、通信部１３に対して電話回線ＬＮへ送出するためのデータを出力する。
【００６７】
通信部１３は、内部に具備された発信者ＩＤ復調部１１によって電話回線ＬＮより受信される信号に基づいて発信者ＩＤデータへの復調を行ったり、通常の電話通信を制御するユニットである。
【００６８】
無線送信部１４は、子機２との間で無線回線を設定してその子機２に対して無線信号（発信者ＩＤデータなど）を送信する制御を司るユニットである。この無線送信部１４の出力は切換ＳＷ１６を介してアンテナ１２に供給される。
【００６９】
無線受信部１５は、子機２との間で無線回線を設定してその子機２から転送されてくる無線信号を受信する制御を司るユニットである。この無線受信部１５の入力は、切換ＳＷ１６に結合され、その切換ＳＷ１６を介してアンテナ１２からの信号供給を受ける。
【００７０】
切換ＳＷ１６は、子機２への送信時にアンテナ１２と無線送信部１４とを結合し、子機２からの受信時にアンテナ１２と無線受信部１５とを結合する。
【００７１】
次に、子機２について詳述する。図６はこの実施の形態における子機２の内部構成を示すブロック図であり、図７は子機２の発信者ＩＤレジスタ２００のメモリ構成例を示す図である。
【００７２】
子機２は、図６に示したように、制御部２０、ディスプレイ２１、アンテナ２２、無線送信部２３、無線受信部２４、切換ＳＷ２５、キー入力部２６、スピーカ２７、マイク２８等で構成されている。
【００７３】
制御部２０は、発信者ＩＤレジスタ２００、ＣＰＵ２０１、ＲＯＭ２０２、ＲＡＭ２０３、入力Ｉ／Ｆ２０４、出力Ｉ／Ｆ２０５、内部バス２０６等で構成されている。
【００７４】
発信者ＩＤレジスタ２００は、前述したように、親機１より前述の転送原理に従って転送されてくる発信者ＩＤデータを格納するメモリである。この発信者ＩＤレジスタ２００は、図７に示したように、システム上、１０桁分の番号データを格納できるようにしたメモリ構造を有している。
【００７５】
すなわち、この発信者ＩＤレジスタ２００では、前述の発信者ＩＤレジスタ１００と同様に、１桁目〜１０桁目にそれぞれ対応させて番号データＤ１〜Ｄ１０が格納される。
【００７６】
ＣＰＵ２０１は、ＲＯＭ２０２に格納されている各種プログラムに従って子機２全体の動作を制御する。
【００７７】
ＲＯＭ２０２は、ＯＳ（オペレーティングシステム）やアプリケーションプログラム２０２ａを格納している。アプリケーションプログラム２０２ａについては、バス２０６を介してインストールするように扱うことも可能である。
【００７８】
このアプリケーションプログラム２０２ａは、後述するが、図１０に示したフローチャートに従う子機側処理や図１１に示したフローチャートに従う受信処理を行うプログラムを含んでいる。
【００７９】
ＲＡＭ２０３は、ＣＰＵ２０１が各種プログラムに従って動作する際に使用されるワークエリアである。
【００８０】
入力Ｉ／Ｆ２０４は、制御部２０の外部に搭載されている無線受信部２４、キー入力部２６、マイク２８に結合される。この入力Ｉ／Ｆ２０４は、無線受信部２４からは親機１より転送されてくるデータを入力したり、キー入力部２６からはキー入力に従って操作の指示を入力したり、マイク２８からは自然音声に基づく音声信号を入力する。
【００８１】
出力Ｉ／Ｆ２０５は、制御部２０の外部に搭載されている無線送信部２３やディスプレイ２１に結合されている。この出力Ｉ／Ｆ２０５は、無線送信部２３に対して親機１へのデータを出力したり、ディスプレイ２１に対して発信者ＩＤ等の表示を行うための表示データを出力する。
【００８２】
ディスプレイ２１は、メニューや操作上のメッセージ以外に、前述の転送原理で親機１より転送されてきた発信者ＩＤを可視可能に表示するユニットである。
【００８３】
無線送信部２３は、親機１との間で無線回線を設定してその親機１に対して無線信号を送信する制御を司るユニットである。この無線送信部２３の出力は切換ＳＷ２５を介してアンテナ１２に供給される。
【００８４】
無線受信部２４は、親機１との間で無線回線を設定してその親機１から転送されてくる無線信号（送話、発信者ＩＤデータを含む）を受信する制御を司るユニットである。この無線受信部２４の入力は、切換ＳＷ２５に結合され、その切換ＳＷ２５を介してアンテナ２２からの信号供給を受ける。また、この無線受信部２４の出力は、スピーカ２７と制御部２０の入力Ｉ／Ｆ２０４とに結合され、無線信号が音声信号であった場合にはスピーカ２７へ供給し、発信者ＩＤデータのように情報であった場合にはデジタル処理のために制御部２０へ供給する。
【００８５】
切換ＳＷ２５は、親機１への送信時にアンテナ２２と無線送信部２３とを結合し、親機１からの受信時にアンテナ２２と無線受信部２４とを結合する。
【００８６】
キー入力部２６は、電話機能等の操作を指示するための各種キーを備えている。このキー入力部２６から発生するキー信号は、入力Ｉ／Ｆ２０４及びバス２０６を介してＣＰＵ２０１へ送られる。
【００８７】
スピーカ２７は無線受信部２４より供給される音声信号を音声に変換して出力し、マイク２８は自然音声を入力してその自然音声に基づく音声信号を入力Ｉ／Ｆ２０４に供給する。
【００８８】
次に、動作について説明する。
【００８９】
まず、親機１の動作について詳述する。図８はこの実施の形態による親機１側の処理を説明するフローチャートであり、図９は図８における送信処理を説明するフローチャートである。
【００９０】
親機１はすでに局や子機２との間で通信待機状態にあるものとする。そこで、電話回線ＬＮを介して局より着信があると、その着信に伴って受信された呼出信号に基づき発信者ＩＤが付加されているか否か判断される（ステップＳ１）。この判断は、通信部１３の発信者ＩＤ復調部１１による復調結果に基づいて行われる。
【００９１】
ステップＳ１において発信者ＩＤが付加されているという判断結果が得られた場合には、処理はステップＳ２に移行して発信者ＩＤに関する受信処理を実行するが、付加されていないという判断結果が得られた場合には、発信者ＩＤに関する処理を実行せずに図８の処理は終了する。
【００９２】
ステップＳ２において受信された先頭の番号データＤ１（発信者ＩＤデータ）が図５に示した発信者ＩＤレジスタ１００の１桁目に格納される。この段階では、まだ発信者ＩＤデータが１０桁分受信完了していないので（ステップＳ４）、処理はステップＳ１に戻る。
【００９３】
前述の如くステップＳ１において発信者ＩＤの付加が確認され、次の２桁目の番号データＤ２の受信が行われると（ステップＳ２）、その番号データＤ２は発信者ＩＤレジスタ１００の２桁目に格納される（ステップＳ３）。
【００９４】
以下同様にして１０桁分の発信者ＩＤデータが昇順に順次受信され、発信者ＩＤレジスタ１００に格納される（ステップＳ１〜ステップＳ４）。
【００９５】
ステップＳ２において最後の末尾桁の番号データＤ１０が発信者ＩＤレジスタ１００に格納されると、続くステップＳ３では発信者ＩＤの受信完了という判断が下される。このように受信完了が確認されると、処理はステップＳ５に移行する。
【００９６】
このステップＳ５において、発信者ＩＤについて子機２へ送信（転送）する指示が親機１によって予め設定されていることから、発信者ＩＤを子機２へ送信（転送）するための処理が実行される。
【００９７】
次に、ステップＳ５の送信処理について図９を参照して説明する。
【００９８】
送信処理では、発信者ＩＤレジスタ１００に格納された１０桁分の発信者ＩＤデータすなわち番号データＤ１〜Ｄ１０を１桁ずつ転送する処理が実行される。
【００９９】
このため、まず、ステップＳ６１では、送信完了を判断するためのカウンタとしてＣＴＲＡを用意し、そのカウンタＣＴＲＡには初期値として「０」が設定される。このカウンタＣＴＲＡの値は送信済み桁数を示す。
【０１００】
続くステップＳ６２では、送信すべき桁Ｎｏ．を示すパラメータとしてＴＲＣＡを用意し、その送信桁ＴＲＣＡには初期値として全桁数ＴＣＬＡの値（この実施の形態では「１０」を用いる）が設定される。すなわち、送信桁ＴＲＣＡの初期値は「１０」となる。
【０１０１】
そして、処理はステップＳ６３に移行し、全桁数ＴＣＬＡとカウンタＣＴＲＡとを比較する。この段階では、発信者ＩＤは未送信であり、カウンタＣＴＲＡは「０」である。このため、カウンタＣＴＲＡは全桁数ＴＣＬＡ「１０」よりも小さいという判断結果が得られ、処理はステップＳ６４に移行して、発信者ＩＤの送信動作を開始する。
【０１０２】
まず、ステップＳ６４において、最初の送信桁が決定される。この場合、前述の転送原理に従えば、発信者ＩＤレジスタ１００に格納されている発信者ＩＤデータを末尾桁側より転送することから、最初の送信桁ＴＲＣＡは１０桁目となる。
【０１０３】
この桁Ｎｏ．１０の求め方は、次式（１）の通りである。
ＴＲＣＡ＝ＴＣＬＡ−ＣＴＲＡ          ・・・（１）
【０１０４】
この式（１）に従えば、ＴＣＬＡ＝１０，ＣＴＲＡ＝０のため、ＴＲＣＡ＝１０−０＝１０となる。すなわち、最初の送信桁として第１０桁（１０桁目を意味する）が得られる。
【０１０５】
なお、上記式（１）において、カウンタＣＴＲＡは１桁分の送信（転送）毎に一つずつインクリメントされるパラメータであり（後述のステップＳ６６）、送信桁ＴＲＣＡは１桁分の送信毎に一つずつデクリメントされるパラメータである（ステップＳ６４）。
【０１０６】
続いてステップＳ６５では、ステップＳ６４において決定された送信桁ＴＲＣＡ「１０」に従い、発信者ＩＤレジスタ１００より桁Ｎｏ．１０（末尾桁に相当する）の番号データＤ１０が読み出され、無線回線を介して子機２へ送信（転送）される。
【０１０７】
そして処理はステップＳ６６に移行し、カウンタＣＴＲＡの値を一つインクリメントする。この段階では、カウンタＣＴＲＡの値は「１」となる。
【０１０８】
このステップＳ６６の処理が終了すると、処理は再びステップＳ６３に戻り、全桁数ＴＣＬＡとカウンタＣＴＲＡとを比較する。この段階では、カウンタＣＴＲＡの値「１」に示されるように、まだ１桁分の発信者ＩＤデータしか転送しておらず、カウンタＣＴＲＡの値が全桁数ＴＣＬＡの値「１０」に到達していないことから、処理は再びステップＳ６４〜ステップＳ６６のループに移行する。
【０１０９】
以降、前述したように、ステップＳ６４において送信桁ＴＲＣＡを１桁ずつ降順に設定するために全桁数ＴＣＬＡの値から一つずつインクリメントされるカウンタＣＴＲＡの値を差し引く処理、ステップＳ６５においてステップＳ６４で求めた送信桁ＴＲＣＡに従う桁Ｎｏ．の発信者ＩＤデータの送信（転送）、ならびに、ステップＳ６６において送信済みの桁数を設定するためにカウンタＣＴＲＡを一つインクリメントする処理が、発信者ＩＤデータの先頭桁までの転送が完了するまで繰り返し実行される。
【０１１０】
このように、発信者ＩＤデータの転送については、末尾桁から先頭桁へ向かう降順を優先順として１桁ずつ番号データが送信（転送）される。
【０１１１】
最後の先頭桁（１桁目）の番号データが送信された後には、ステップＳ６６でカウンタＣＴＲＡの値が「１０」となり、続くステップＳ６３においてＴＣＬＡ＝ＣＴＲＡの関係が得られることから、処理は図８に示した親機側処理（メイン処理）にリターンする。
【０１１２】
そして、親機側処理では、発信者ＩＤの送信処理が終了したので終了する。なお、通話動作は公知の動作であり、この発明の趣旨とは異なるため、説明を省略する。
【０１１３】
次に、子機２の動作について詳述する。図１０はこの実施の形態による子機２側の処理を説明するフローチャートであり、図１１は図１０における受信処理を説明するフローチャートである。
【０１１４】
子機２はすでに親機１との間で通信待機状態にあるものとする。そこで、親機１より着信があり、発信者ＩＤデータの転送要求があれる場合には（ステップＴ１）、処理はステップＴ２に移行して受信処理を実行し、それ以外の場合にはこの処理は終了する。
【０１１５】
次に、ステップＴ２の送信処理について図１１を参照して説明する。
【０１１６】
受信処理では、前述の転送原理に従って親機１より転送されてくる１０桁分の発信者ＩＤデータすなわち番号データＤ１〜Ｄ１０を１桁ずつ受信する処理が実行される。
【０１１７】
このため、まず、ステップＴ２１では、受信完了を判断するためのカウンタとしてＣＴＲＢを用意し、そのカウンタＣＴＲＢには初期値として「０」が設定される。このカウンタＣＴＲＢの値は受信済み桁数を示す。
【０１１８】
続くステップＴ２２では、受信できた桁Ｎｏ．を示すパラメータとしてＲＣＣＢを用意し、その受信桁ＲＣＣＢには初期値として全桁数ＴＣＬＢの値（この実施の形態では「１０」を用いる）が設定される。すなわち、受信桁ＲＣＣＢの初期値は「１０」となる。
【０１１９】
そして、処理はステップＴ２３に移行し、全桁数ＴＣＬＢとカウンタＣＴＲＢとを比較する。この段階では、発信者ＩＤは未受信であり、カウンタＣＴＲＢは「０」である。このため、カウンタＣＴＲＢは全桁数ＴＣＬＢ「１０」よりも小さいという判断結果が得られ、処理はステップＴ２４に移行する。
【０１２０】
このように、発信者ＩＤデータの受信が未完了であった場合には、処理はステップＴ２４に移行する。このステップＴ２４では、次の発信者ＩＤデータすなわち番号データの受信があるか否かを判断する処理が実行される。
【０１２１】
最初は、発信者ＩＤデータの第１桁目（元のデータでは第１０桁目）の番号データが受信されるが、その第１桁目の番号データの転送時に妨害波等の影響でデータ破壊が生じた場合には、受信処理は中断され、処理は前述の子機側処理（メイン処理）にリターンする。ただし、途中でデータ破壊が生じても受信できた分のＩＤ表示は行われる。
【０１２２】
ステップＴ２４において発信者ＩＤデータの受信が確認されると、処理はステップＴ２５に移行する。このステップＴ２５において、最初に受信される番号データの正しい桁Ｎｏ．を示す受信桁が決定される。
【０１２３】
この場合、前述の転送原理に従えば、発信者ＩＤデータは親機１より末尾桁の番号データから降順に転送されてくることから、子機２において最初の受信桁ＲＣＣＢは１０桁目となる。
【０１２４】
この桁Ｎｏ．１０の求め方は、次式（２）の通りである。
ＲＣＣＢ＝ＴＣＬＢ−ＣＴＲＢ          ・・・（２）
【０１２５】
この式（２）に従えば、ＴＣＬＢ＝１０，ＣＴＲＢ＝０のため、ＲＣＣＢ＝１０−０＝１０となる。すなわち、最初の受信桁として第１０桁（１０桁目を意味する）が得られる。
【０１２６】
なお、上記式（２）において、カウンタＣＴＲＢは１桁分の受信（転送）毎に一つずつインクリメントされるパラメータであり（後述のステップＴ２８）、受信桁ＲＣＣＢは１桁分の受信毎に一つずつデクリメントされるパラメータである（ステップＴ２５）。
【０１２７】
続いてステップＴ２６では、ステップＴ２５において決定された受信桁ＲＣＣＢ「１０」に従い、発信者ＩＤレジスタ２００の桁Ｎｏ．１０に、受信された番号データＤ１０が格納される。すなわち、最初に受信された番号データＤ１０は親機１の発信者ＩＤレジスタ１００の格納エリア（末尾桁）と同様の格納エリア（末尾桁）に格納される。
【０１２８】
このように、転送原理に従って末尾桁より先頭桁に向かって番号データを転送しても発信者ＩＤデータは子機２に受信されたときに元の並びに復元される。
【０１２９】
続くステップＴ２７では、ステップＴ２５において決定された受信桁ＲＣＣＢ「１０」に従い、ディスプレイ２１において桁Ｎｏ．１０の位置に、受信された番号データＤ１０に基づく番号がディスプレイ２１に表示される。
【０１３０】
そして処理はステップＴ２８に移行し、カウンタＣＴＲＢの値を一つインクリメントする。この段階では、カウンタＣＴＲＢの値は「１」となる。
【０１３１】
このステップＴ２８の処理が終了すると、処理は再びステップＴ２３に戻り、全桁数ＴＣＬＢとカウンタＣＴＲＢとを比較する。この段階では、カウンタＣＴＲＢの値「１」に示されるように、まだ１桁分の発信者ＩＤデータしか受信しておらず、カウンタＣＴＲＢの値が全桁数ＴＣＬＢの値「１０」に到達していないことから、処理は再びステップＴ２４〜ステップＴ２８のループに移行する。
【０１３２】
以降、前述したように、ステップＴ２４においてデータ破壊を判断する処理、ステップＴ２５において受信桁ＲＣＣＢを１桁ずつ降順に設定するために全桁数ＴＣＬＢの値から一つずつインクリメントされるカウンタＣＴＲＢの値を差し引く処理、ステップＴ２６においてステップＴ２５で求めた受信桁ＲＣＣＢに従う桁Ｎｏ．の発信者ＩＤデータの受信、ならびに、ステップＴ２８において受信済みの桁数を設定するためにカウンタＣＴＲＢを一つインクリメントする処理が、発信者ＩＤデータの先頭桁までの受信が完了するまで繰り返し実行される。
【０１３３】
このように、発信者ＩＤデータの受信についても転送（送信）と同様に、末尾桁から先頭桁へ向かう降順を優先順として１桁ずつ番号データが受信される。
【０１３４】
正常に転送が行われる場合には、最後の先頭桁（１桁目）の番号データが受信された後には、ステップＴ２８でカウンタＣＴＲＢの値が「１０」となり、続くステップＴ２３においてＴＣＬＢ＝ＣＴＲＢの関係が得られることから、処理は図１０に示した子機側処理（メイン処理）にリターンする。
【０１３５】
そして、子機側処理では、発信者ＩＤの受信処理が終了したので終了する。なお、通話動作は公知の動作であり、この発明の趣旨とは異なるため、説明を省略する。
【０１３６】
また、発信者ＩＤデータの転送途中から妨害波等の影響ででた破壊が生じた場合には、ステップＴ２４においてその判断が下され、その時点で受信処理が中断する。この段階では、ディスプレイ２１には受信できた受信桁までの番号が表示される。
【０１３７】
この場合、受信処理から子機側処理（メイン処理）に処理をリターンさせる前に、図３に示した如く、未受信の桁Ｎｏ．の表示位置に記号「＊」のように番号（数字）以外の文字を表示すれば、末尾桁より先頭桁に向かってどこまで正常に受信できたのかを容易に視認することができる。
【０１３８】
以上説明したように、この実施の形態によれば、相手からの外線接続時に親機１に受信された発信者ＩＤデータを予め決められた桁の優先順に従って並べ換え、その並びで子機２へ無線送信し、子機２でその並びを元に戻して表示制御するようにしたので、発信者を特定しやすい桁に対して優先度を高くすれば発信者を特定しやすい桁から先に送り届けることができ、発信者ＩＤデータの送信途中から妨害波等の影響により破壊が生じても、破壊される前に送信できた一部の番号からでも発信者の推定を支援することが可能である。
【０１３９】
また、相手からの外線接続時に親機１に受信された発信者ＩＤデータを末尾桁からの並びに並べ換え、その並びで子機２へ無線送信し、子機２でその並びを元の先頭桁からの並びに戻して表示制御すよう成にしたので、市外局番や市外局番よりも後に配置される発信者を特定しやすい末尾桁側の電話番号から先に送り届けることができ、発信者ＩＤデータの送信途中から妨害波等の影響により破壊が生じても、破壊される前に送信できた末尾桁側の番号からでも発信者の推定を支援することが可能である。
【０１４０】
また、未受信の桁位置に未受信を示す記号（例えば＊）を表示配置するようにしたので、発信者ＩＤデータの正規の並びでどの桁位置まで正確に受信できたのか容易に確認することが可能である。
【０１４１】
さて、上述した実施の形態では、子機２が親機１より受信できた発信者ＩＤデータを正規の桁位置に対応させて表示するようにしていたが、以下に説明する変形例のように、発信者ＩＤデータが途中から破壊された場合、受信できたところまでの桁数分の発信者ＩＤデータをもつ発信者を候補として表示するようにしてもよい。
【０１４２】
次に、上述した実施の形態の一変形例について説明する。図１２は一変形例による要部の構成を示すブロック図であり、図１３は図１２に示した要部の具体的構成例を示す図である。
【０１４３】
この変形例では、図１２に示したように、子機２の制御部２０に電話帳記憶部２０７が追加される。
【０１４４】
電話帳記憶部２０７は、図１３に示したように、登録者データに対応させてＩＤデータを登録している。登録者データ及びＩＤデータについては、キー入力部２６の操作によって追加、削除、変更が自在である。
【０１４５】
登録者データは登録者名等の登録者を特定するためのデータである。ＩＤデータは、１０桁分の番号データより構成され、前述の発信者ＩＤデータに照合するためなどに利用される。
【０１４６】
図１３の例では、登録者データ「Ａ」にはＩＤデータ「０１２３４５６７８９」が対応付けられ、登録者データ「Ｂ」にはＩＤデータ「１２３４５６７８９０」が対応付けられ、登録者データ「Ｃ」にはＩＤデータ「２３４５６７８８９０」が対応付けられている。
【０１４７】
次に、この変形例の動作について説明する。図１４は変形例の主要な動作を説明するフローチャートであり、図１５はこの変形例による表示例を示す図である。
【０１４８】
この変形例には、前述の図１１に示したフローチャートにおいて、転送途中から妨害波等の影響でデータ破壊が生じた場合の発信者推定動作が追加される。
【０１４９】
ステップＴ２４においてデータ破壊の発生が確認されると、処理はステップＴ２４１に移行する。このステップＴ２４１では、発信者ＩＤレジスタ２００に格納された発信者ＩＤデータと電話帳記憶部２０７に記憶されているＩＤデータとをカウンタＣＴＲＢに設定されている受信済み桁数分だけ桁毎に対応させて照合する処理が実行される。
【０１５０】
続くステップＴ２４２において受信済み桁数分での全一致が得られた場合には、処理はステップＴ２４３に移行する。このステップＴ２４３では、全一致したＩＤデータに対応する登録者を発信者の候補として電話帳情報すなわち登録者名とＩＤとを対応させてディスプレイ２１に表示する処理が実行される。
【０１５１】
一方、ステップＴ２４２において一つでも不一致があった場合には、処理はステップＴ２４４に移行する。このステップＴ２４４では、候補無しのメッセージをディスプレイ２１に表示する処理が実行される。
【０１５２】
以上の変形例の動作について図１５を参照して具体的に説明する。
【０１５３】
親機１より子機２に対して発信者ＩＤデータ「１２３４５６７８９０」を転送する場合には、親機１の送信動作は、前述の転送原理に従って番号データを「０」、「９」、「８」…の如く末尾桁より降順で転送することになる。
【０１５４】
その際、親機１は１０桁目の番号データ「０」、９桁目の番号データ「９」まで転送したところでデータ破壊が生じたものと仮定する。この場合、子機２の受信動作は、１０桁目の番号データ「０」、９桁目の番号データ「９」までで中断される。
【０１５５】
この段階では、子機２において、発信者ＩＤレジスタ２００には桁Ｎｏ．９、Ｎｏ．１０にそれぞれ番号データ「９」、「０」が格納され、ディスプレイ２１には桁Ｎｏ．１〜Ｎｏ．８の表示位置にいずれも「＊」が表示され、末尾桁側の桁Ｎｏ．８、Ｎｏ．９の位置にはそれぞれ「９」、「０」が表示される。
【０１５６】
そして、電話帳記憶不２０７を用いた発信者の照合により候補が取得できた場合には、各候補に対応させて登録者名とＩＤとがディスプレイ２１上に表示される。
【０１５７】
末尾桁側の２桁分の番号データ「９０」をもつＩＤは登録者ＢとＣのため、図１５に示した如く、候補１の欄には、
候補１：Ｂ  １２３−４５６−７８９０
が表示され、候補２の欄には、
候補２：Ｃ  ２３４−５６７−８８９０
が表示される。
【０１５８】
そして、ディスプレイ２１において、照合一致の桁Ｎｏ．に対応する番号には、アンダーラインが付加される。
【０１５９】
図１５には、候補を２つ表示した場合の一例が示されているが、３つ以上、または１つだけの表示にしてもよく、表示しきれない候補についてはキー入力部２６の操作によって表示できるように切り換えればよい。
【０１６０】
このように、上述した変形例によれば、子機２において発信者ＩＤデータの並びを元の先頭桁からの並びに戻してから電話帳記憶部２０７に登録されている登録者のＩＤデータに照合し、受信済みの桁数分の照合全一致が得られたＩＤデータを発信者の候補として表示するようにしたので、発信者ＩＤデータの送信途中から妨害波等の影響により破壊が生じても、破壊される前に送信できた末尾桁側のデータから候補となる発信者の氏名、及びＩＤデータを容易に見つけ出すことができ、これによって、発信者の推定を支援することが可能である。
【０１６１】
【発明の効果】
以上説明したように、請求項１の発明によれば、相手からの外線接続時に第１通信装置に受信された発信者側の電話番号情報を予め決められた桁の優先順に従って並べ換え、その並びで第２通信装置へ無線送信し、第２通信装置でその並びを元に戻して表示制御するシステム構成にしたので、発信者を特定しやすい桁に対して優先度を高くすれば発信者を特定しやすい桁から先に送り届けることができ、電話番号情報の送信途中から妨害波等の影響により破壊が生じても、破壊される前に送信できた一部の電話番号情報からでも発信者の推定を支援することが可能な無線通信システムを得られるという効果を奏する。
【０１６２】
また、請求項２の発明によれば、相手からの外線接続時に第１通信装置に受信された発信者側の電話番号情報を末尾桁からの並びに並べ換え、その並びで第２通信装置へ無線送信し、第２通信装置でその並びを元の先頭桁からの並びに戻して表示制御するシステム構成にしたので、市外局番や市内局番よりも後に配置される発信者を特定しやすい末尾桁側の電話番号から先に送り届けることができ、電話番号情報の送信途中から妨害波等の影響により破壊が生じても、破壊される前に送信できた末尾桁側の電話番号情報からでも発信者の推定を支援することが可能な無線通信システムを得られるという効果を奏する。
【０１６３】
また、請求項３の発明によれば、相手からの外線接続時に第１通信装置に受信された発信者側の電話番号情報を末尾桁からの並びに並べ換え、その並びで第２通信装置へ無線送信し、第２通信装置でその並びを元の先頭桁からの並びに戻してから登録されている電話番号情報に照合し、受信済みの桁数分の照合全一致が得られた電話番号情報を発信者候補として表示するシステム構成にしたので、電話番号情報の送信途中から妨害波等の影響により破壊が生じても、破壊される前に送信できた末尾桁側の電話番号情報から候補となる発信者の電話番号情報を容易に見つけ出すことができ、これによって、発信者の推定を支援することが可能な無線通信システムを得られるという効果を奏する。
【０１６４】
また、請求項４の発明によれば、請求項１〜３のいずれか一つに記載の発明において、表示制御手段が受信手段により未受信の桁位置に未受信を示す記号を表示配置するシステム構成にしたので、電話番号情報の正規の並びでどの桁位置まで正確に受信できたのか容易に確認することが可能な無線通信システムを得られるという効果を奏する。
【０１６５】
また、請求項５の発明によれば、相手からの外線接続時に第１通信装置に受信された発信者側の電話番号情報を予め決められた桁の優先順に従って並べ換え、その並びで第２通信装置へ無線送信し、第２通信装置でその並びを元に戻して表示制御する手順にしたので、発信者を特定しやすい桁に対して優先度を高くすれば発信者を特定しやすい桁から先に送り届けることができ、電話番号情報の送信途中から妨害波等の影響により破壊が生じても、破壊される前に送信できた一部の電話番号情報からでも発信者の推定を支援することが可能な無線通信システムを得られるという効果を奏する。
【０１６６】
また、請求項６の発明によれば、相手からの外線接続時に第１通信装置に受信された発信者側の電話番号情報を末尾桁からの並びに並べ換え、その並びで第２通信装置へ無線送信し、第２通信装置でその並びを元の先頭桁からの並びに戻して表示制御する手順にしたので、市外局番や市内局番よりも後に配置される発信者を特定しやすい末尾桁側から先に送り届けることができ、電話番号情報の送信途中から妨害波等の影響により破壊が生じても、破壊される前に送信できた末尾桁側の電話番号情報からでも発信者の推定を支援することが可能な無線通信方法を得られるという効果を奏する。
【０１６７】
また、請求項７の発明によれば、相手からの外線接続時に第１通信装置に受信された発信者側の電話番号情報を末尾桁からの並びに並べ換え、その並びで第２通信装置へ無線送信し、第２通信装置でその並びを元の先頭桁からの並びに戻してから登録されている電話番号情報に照合し、受信済みの桁数分の照合全一致が得られた電話番号情報を発信者候補として表示する手順にしたので、電話番号情報の送信途中から妨害波等の影響により破壊が生じても、破壊される前に送信できた末尾桁側の電話番号情報から候補となる発信者の電話番号情報を容易に見つけ出すことができ、これによって、発信者の推定を支援することが可能な無線通信方法を得られるという効果を奏する。
【図面の簡単な説明】
【図１】この発明に係る無線通信システムの一実施の形態を示す構成図である。
【図２】この実施の形態において発信者ＩＤの転送原理（正常時）を説明する図である。
【図３】この実施の形態において発信者ＩＤの転送原理（異常時）を説明する図である。
【図４】この実施の形態における親機の内部構成を示すブロック図である。
【図５】図４に示した親機の発信者ＩＤレジスタのメモリ構成例を示す図である。
【図６】この実施の形態における子機の内部構成を示すブロック図である。
【図７】図６に示した子機の発信者ＩＤレジスタのメモリ構成例を示す図である。
【図８】この実施の形態による親機側処理を説明するフローチャートである。
【図９】この実施の形態による親機側の送信処理を説明するフローチャートである。
【図１０】この実施の形態による子機側処理を説明するフローチャートである。
【図１１】この実施の形態による子機側の受信処理を説明するフローチャートである。
【図１２】この実施の形態の一変形例による要部の構成を示すブロック図である。
【図１３】図１２に示した変形例による電話帳記憶部のメモリ構成例を示す図である。
【図１４】図１２に示した変形例の主要な動作を説明するフローチャートである。
【図１５】図１２に示した変形例による表示例を示す図である。
【符号の説明】
１        親機
２        子機
１０        制御部
１１        発信者ＩＤ復調部
１２        アンテナ
１３        通信部
１４        無線送信部
１５        無線受信部
２０        制御部
２１        ディスプレイ
２２        アンテナ
２３        無線送信部
２４        無線受信部
１００        発信者ＩＤレジスタ
２００        発信者ＩＤレジスタ
【図１】
0003688838.tif 000002
【図２】
0003688838.tif 000003
【図３】
0003688838.tif 000004
【図４】
0003688838.tif 000005
【図５】
0003688838.tif 000006
【図６】
0003688838.tif 000007
【図７】
0003688838.tif 000008
【図８】
0003688838.tif 000009
【図９】
0003688838.tif 000010
【図１０】
0003688838.tif 000011
【図１１】
0003688838.tif 000012
【図１２】
0003688838.tif 000013
【図１３】
0003688838.tif 000014
【図１４】
0003688838.tif 000015
【図１５】
0003688838.tif 000016